(57)【要約】【課題】受信側端末に通話要求したときに、網から接続拒否の情報を受けて受信側端末と接続できない場合に、受信側端末からの呼出を待たなくても、また、受信側端末に接続できるまで通話要求を繰り返さなくても受信側端末に接続することができるよにする。【解決手段】送信側端末により、受信側端末への通話要求を網へ送信し、通話要求の応答として、受信側端末の接続拒否通知を網より受けたときに、受信側端末への開封確認要求付きの電子メールを網へ送信し、開封確認要求付きの電子メールが開封されたことを示すメール開封通知を網より受け、受信側端末への通話要求を再度網へ送信し、この通話要求の応答として受信側端末の接続許可通知を網より受けこの網を介して受信側端末と接続する。【選択図】      図１
2005217477.tif 000002
【特許請求の範囲】
【請求項１】
網を介して電子メールの送受信と通話とができる無線通信端末間の呼出接続方法において、
送信側の無線通信端末（以後、送信側端末と記載する。）が、受信側の無線通信端末（以後、受信側端末と記載する。）への通話要求を前記網へ送信するステップと、
前記送信側端末が、前記通話要求の応答として、前記受信側端末が接続不可状態であることを示す接続拒否通知を前記網より受けたときに、前記受信側端末への開封確認要求付きの電子メールを前記網へ送信するステップと、
前記送信側端末が、前記開封確認要求付きの電子メールが開封されたことを示すメール開封通知を前記網より受けるステップと、
前記送信側端末が、前記受信側端末への前記通話要求を再度前記網へ送信し、この通話要求の応答として前記受信側端末が接続可能状態であることを示す前記受信側端末から送られた接続許可通知を前記網より受けこの網を介して前記受信側端末と接続するステップと、
を含むことを特徴とする無線通信端末間の呼出接続方法。
【請求項２】
網を介して電子メールの送受信と通話とができる無線通信端末間の呼出接続方法において、
送信側の無線通信端末（以後、送信側端末と記載する。）が、受信側の無線通信端末（以後、受信側端末と記載する。）への通話要求を前記網へ送信するステップと、
前記網が、前記通話要求を受け前記受信側端末へこの通話要求を送信し、前記受信側端末からこの通話要求に対応する応答がないときに、前記受信側端末が接続不可状態であることを示す接続拒否通知を前記送信側端末へ送るステップと、
前記送信側端末が、前記網より前記接続拒否通知を受け、前記受信側端末への開封確認要求付きの電子メールを前記網へ送信するステップと、
前記網が、前記開封確認要求付きの電子メールを受けて保管するステップと、
前記受信側端末が、前記接続不可状態から接続可能状態になったとき、前記網が保管している前記開封確認要求付きの電子メールを前記網より受けるステップと、
前記受信側端末が、前記網より受けた前記電子メールを開封し、開封したときにメール開封通知を前記網へ送信するステップと、
前記網が、前記受信側端末より前記メール開封通知を受けこのメール開封通知を前記送信側端末に送るステップと、
前記送信側端末が、前記メール開封通知を前記網より受け、前記受信側端末への前記通話要求を再度前記網へ送るステップと、
前記網が、前記通話要求を受け前記受信側端末へこの通話要求を送信し、前記受信側端末からこの受信側端末が接続可能状態であることを示す接続許可通知を受け前記送信側端末へこの接続許可通知を送るステップと、
前記送信側端末が、前記網より前記接続許可通知を受けて前記網を介して前記受信側端末と接続するステップと、
を含むことを特徴とする無線通信端末間の呼出接続方法。
【請求項３】
前記接続不可状態は、前記無線通信端末が通信圏外又は／及び電源オフの状態であり、前記接続可能状態は、前記無線通信端末が通信圏内かつ電源オンの状態であることを特徴とする請求項１又は２記載の無線通信端末間の呼出接続方法。
【請求項４】
前記送信側端末は、前記開封確認要求付きの電子メールを前記網へ送信してから前記メール開封通知を受けるまでの時間が予め定めた時間内のときに、前記通話要求を再度前記網へ送信するようにしたことを特徴とする請求項１、２又は３記載の無線通信端末間の呼出接続方法。
【請求項５】
前記送信側端末は、周囲の明暗を検出するセンサを有し、前記メール開封通知を受けたときに、前記センサが周囲が明るいということを示している場合に、前記通話要求を再度前記網へ送信するようにしたことを特徴とする請求項１、２又は３記載の無線通信端末間の呼出接続方法。
【請求項６】
前記送信側端末は、前記通話要求を再度前記網へ送信しているときは、前記通話要求を再度送信していることを明示するために、予め定めた音、曲を含む鳴音による報知をするようにしたことを特徴とする請求項１、２又は３記載の無線通信端末間の呼出接続方法。
【請求項７】
前記無線通信端末は、携帯電話端末、ＰＨＳを含むことを特徴とする請求項１、２、４、５又は６記載の無線通信端末間の呼出接続方法。
【発明の詳細な説明】
【技術分野】
【０００１】
本発明は無線通信端末間の呼出接続方法に関し、特に網を介して電子メールの送受信と通話とができる無線通信端末間の呼出接続方法に関する。
【背景技術】
【０００２】
従来の無線通信端末は、通話を希望する無線通信端末（送信側端末）が通話相手の無線通信端末（受信側端末）に通話要求を送信した際に、受信側端末が電源オフや圏外状態（接続不可状態）である場合、この通信要求は網を介して受信側端末に送信されるが、受信側端末から接続拒否される。そして、送信側端末は網から接続拒否の情報を受けて受信側端末と接続できないということがわかる。しかし、受信側端末には、この送信側端末からの通話要求は到達せず、着信の通知が記録されない。このため、受信側端末の使用者は、接続不可状態の間にどのように着信があったかわからない。これを解決するため、受信側端末が接続不可状態の場合は送信側端末が通話から電子メール送信に切替を行って電子メールを送信することにより着信があったことを知らせるようにした技術がある（例えば、特許文献１参照）。
【０００３】
【特許文献１】特開２００２−３５４０７７
【発明の開示】
【発明が解決しようとする課題】
【０００４】
上述した従来の無線通信端末は、受信側端末が接続不可状態の場合は送信側端末が通話から電子メール送信に切替を行って電子メールを送信することにより着信があったことを知らせるようにしている。そして、受信側端末の使用者は、電子メールを受信することにより着信の履歴を認識できる。しかし、この認識した着信に対して送信側端末へ発呼を行うかどうかは受信側端末の使用者の判断にまかされ、送信側端末の使用者は、いつ受信側端末と通話ができるかわからず、受信側端末からの呼出を待つか、あるいは、受信側端末に接続できるまで通話要求を繰り返す必要があるという問題がある。
【０００５】
本発明の目的はこのような従来の欠点を除去するため、送信側端末が受信側端末に通話要求したときに、網から接続拒否の情報を受けて受信側端末と接続できない場合に、受信側端末からの呼出を待たなくても、また、受信側端末に接続できるまで通話要求を繰り返さなくても受信側端末に接続することのできる無線通信端末間の呼出接続方法を提供することにある。
【課題を解決するための手段】
【０００６】
本発明の第１の無線通信端末間の呼出接続方法は、網を介して電子メールの送受信と通話とができる無線通信端末間の呼出接続方法において、送信側の無線通信端末（以後、送信側端末と記載する。）が、受信側の無線通信端末（以後、受信側端末と記載する。）への通話要求を前記網へ送信するステップと、前記送信側端末が、前記通話要求の応答として、前記受信側端末が接続不可状態であることを示す接続拒否通知を前記網より受けたときに、前記受信側端末への開封確認要求付きの電子メールを前記網へ送信するステップと、前記送信側端末が、前記開封確認要求付きの電子メールが開封されたことを示すメール開封通知を前記網より受けるステップと、前記送信側端末が、前記受信側端末への前記通話要求を再度前記網へ送信し、この通話要求の応答として前記受信側端末が接続可能状態であることを示す前記受信側端末から送られた接続許可通知を前記網より受けこの網を介して前記受信側端末と接続するステップと、を含んでいる。
【０００７】
本発明の第２の無線通信端末間の呼出接続方法は、網を介して電子メールの送受信と通話とができる無線通信端末間の呼出接続方法において、送信側の無線通信端末（以後、送信側端末と記載する。）が、受信側の無線通信端末（以後、受信側端末と記載する。）への通話要求を前記網へ送信するステップと、前記網が、前記通話要求を受け前記受信側端末へこの通話要求を送信し、前記受信側端末からこの通話要求に対応する応答がないときに、前記受信側端末が接続不可状態であることを示す接続拒否通知を前記送信側端末へ送るステップと、前記送信側端末が、前記網より前記接続拒否通知を受け、前記受信側端末への開封確認要求付きの電子メールを前記網へ送信するステップと、前記網が、前記開封確認要求付きの電子メールを受けて保管するステップと、前記受信側端末が、前記接続不可状態から接続可能状態になったとき、前記網が保管している前記開封確認要求付きの電子メールを前記網より受けるステップと、前記受信側端末が、前記網より受けた前記電子メールを開封し、開封したときにメール開封通知を前記網へ送信するステップと、前記網が、前記受信側端末より前記メール開封通知を受けこのメール開封通知を前記送信側端末に送るステップと、前記送信側端末が、前記メール開封通知を前記網より受け、前記受信側端末への前記通話要求を再度前記網へ送るステップと、前記網が、前記通話要求を受け前記受信側端末へこの通話要求を送信し、前記受信側端末からこの受信側端末が接続可能状態であることを示す接続許可通知を受け前記送信側端末へこの接続許可通知を送るステップと、前記送信側端末が、前記網より前記接続許可通知を受けて前記網を介して前記受信側端末と接続するステップと、を含んでいる。
【０００８】
また、本発明の第１と第２の無線通信端末間の呼出接続方法において、前記接続不可状態は、前記無線通信端末が通信圏外又は／及び電源オフの状態であり、前記接続可能状態は、前記無線通信端末が通信圏内かつ電源オンの状態である。
【０００９】
本発明の第１と第２の無線通信端末間の呼出接続方法において、前記送信側端末は、前記開封確認要求付きの電子メールを前記網へ送信してから前記メール開封通知を受けるまでの時間が予め定めた時間内のときに、前記通話要求を再度前記網へ送信するようにしている。
【００１０】
更に、本発明の第１と第２の無線通信端末間の呼出接続方法において、前記送信側端末は、周囲の明暗を検出するセンサを有し、前記メール開封通知を受けたときに、前記センサが周囲が明るいということを示している場合に、前記通話要求を再度前記網へ送信するようにしている。
【００１１】
また、本発明の第１と第２の無線通信端末間の呼出接続方法において、前記送信側端末は、前記通話要求を再度前記網へ送信しているときは、前記通話要求を再度送信していることを明示するために、予め定めた音、曲を含む鳴音による報知をするようにしている。
【発明の効果】
【００１２】
本発明の無線通信端末間の呼出接続方法によれば、送信側端末により、受信側端末への通話要求を網へ送信し、通話要求の応答として、受信側端末が接続不可状態であることを示す接続拒否通知を網より受けたときに、受信側端末への開封確認要求付きの電子メールを網へ送信する。そして、送信側端末が、開封確認要求付きの電子メールのメール開封通知を網より受け、受信側端末への通話要求を再度網へ送信し、この通話要求の応答として受信側端末が接続可能状態であることを示す接続許可通知を網より受けこの網を介して受信側端末と接続する。このため、送信側端末が、受信側端末への通話要求に対して受信側端末の接続拒否通知を受けたときに、開封確認要求付きの電子メールを受信側端末へ送信し、この電子メールのメール開封通知を網より受けたときに、受信側端末への通話要求を再度送信して、受信側端末と接続するようにしたので、送信側端末が受信側端末に通話要求したときに、接続拒否の情報を受けて受信側端末と接続できない場合に、受信側端末からの呼出を待たなくても、また、受信側端末に接続できるまで通話要求を繰り返さなくても受信側端末に接続することができる。したがって、送信側端末と受信側端末との接続率が高めることができる。
【００１３】
また、従来の技術では、送信側端末と受信側端末とを接続するためには、受信側端末が着信履歴に基づいて送信側端末に呼出を行うことが必要であるため、受信側端末に課金の負担が発生している。このため、本来、接続要求側である送信側端末で課金が発生するべきであるのに、受信側端末に課金負担が発生すると、使用者は課金のことを考えて送信側端末に発呼を行わないことも考えられる。
【００１４】
一方、本発明によれば、送信側端末が、受信側端末への通話要求に対して受信側端末の接続拒否通知を受けたときに、開封確認要求付きの電子メールを受信側端末へ送信し、この電子メールのメール開封通知を網より受けたときに、受信側端末への通話要求を再度送信して、受信側端末と接続するようにしたため、受信側端末が、受信側端末への通話要求を再度送信して、受信側端末と接続するようにしたので、送信側端末に課金の負担が発生する。このため、常に送信側端末からの呼出が行われるので、受信側端末への課金を行わずにすむという効果がある。
【発明を実施するための最良の形態】
【００１５】
次に、本発明の実施の形態について図面を参照して説明する。
【００１６】
図２は、本発明の無線通信端末間の呼出接続方法の一部が適用される無線通信端末の例を示すブロック図である。
【００１７】
無線通信端末は、携帯電話端末、ＰＨＳ端末等であり、使用者が移動を行いつつも第２者との間で通話することができる端末である。
【００１８】
無線通信端末は、アンテナ８と、無線部９と、音声入出力部１０と、制御部１と、移動機情報解析部６と、送信切換制御部５と、発信制御部７と、メモリ部２と、表示部３と、操作部４とにより構成している。
【００１９】
アンテナ８は、網より送信される信号を受信したり相手側に網を介して送信したりする。
【００２０】
無線部９は、アンテナ８より受信した信号を復調したり、送信するためのデータを網を介して相手側に送信するために変調したりする。
【００２１】
音声入出力部１０は、２者間で通話を行うための音声を入力出力する。
【００２２】
制御部１は、ＣＰＵを含み、信号の送受信の制御及び、使用者の操作や表示などのシステム全体を制御する。
【００２３】
移動機情報解析部６は、相手側端末に対して通信要求を行った際に、何らかの理由により接続ができない場合、その情報を受信し、解析する。
【００２４】
送信切換制御部５は、相手側端末と通話の接続ができなかった場合に、相手側に対しメール送信に切り替える。
【００２５】
発信制御部７は、呼出時の発呼や開封通知を検出した場合の再発呼処理を行う。
【００２６】
メモリ部２は、音声データなど相手側端末からのデータ、相手側端末の電話番号、この電話番号に対応づけて相手側端末のメールアドレス等を格納する。
【００２７】
表示部３はデータ等を表示する。
【００２８】
操作部４は使用者の操作結果を入力する。
【００２９】
図１は、本発明の無線通信端末間の呼出接続方法の一つの実施の形態を示すフローチャートである。
【００３０】
本実施の形態の無線通信端末間の呼出接続方法の動作を図１を参照して詳細に説明する。
【００３１】
ステップ１では、通話を希望する無線通信端末（送信側端末）は、電子メールや音声通話等を待ち受ける待機状態（以後、待ち受け状態と記載する。）で、通話相手の無線通信端末（受信側端末）に対して通話をするために、使用者の操作により、受信側端末の電話番号を入力する。
【００３２】
ステップ２では、送信側端末は、この受信側端末の電話番号と予め有する送信側端末の電話番号とを含む通話要求を網に出力する。
【００３３】
ステップ３では、網は、通話要求に含まれる電話番号の受信側端末に通話要求を出力する。
【００３４】
ステップ４では、受信側端末は、圏外又は／及び電源オフ等により接続不可状態のときには、網に対して応答できない。このときには着信履歴は受信側端末に残らない。一方、マナーモード、ドライブモード、通話保留等（このときには着信履歴は受信側端末に残る。これら列挙した例については、端末の事業者毎に異なる。）により接続不可状態のときには、受信側端末は、網に対して着信履歴が残る状況で接続不可状態にあることを示す通知を網に出力する。
【００３５】
ステップ５では、網は、通話要求を出力した受信側端末からの応答がないときには、この受信側端末が着信履歴が残らない状況で接続不可状態にあると判断して、着信履歴が残らない状況であることを示す通知を含めた接続拒否通知を受信側端末に送信する。また、受信側端末から、着信履歴が残る状況で接続不可状態にあることを示す通知を受けたときには、着信履歴が残る状況であることを示す通知を含めた接続拒否通知を受信側端末に送信する。
【００３６】
ステップ６では、送信側端末は、網から接続拒否通知を受けステップ７（Ｓ７）へ進む。
【００３７】
ステップ７では、送信側端末は、網より受けた通知が、受信側端末が通話を受けられる状態（受信可能な状態）である接続許可通知であるか、接続拒否通知であるかを調べ、接続許可通知であるときにはステップ３１（Ｓ３１）へ進む。接続拒否通知であるときにはこの接続拒否通知を調べ、この通知に着信履歴が残らない状況であることを示す通知が含まれているときにはステップ８（Ｓ８）へ進む。また、この通知に着信履歴が残る状況であることを示す通知が含まれているときには、受信側端末に着信履歴が残るため、このまま発呼の切断を行い、終了する。
【００３８】
ステップ８では、送信側端末は、受信側端末の電話番号よりこの電話番号に対応した予めメモリ部２に格納されたメールアドレスを検索し、このアドレスに対して開封返信要求（開封確認要求）コード付きのメール送信フォーマットを作成する。この送信フォーマットは、予めメモリ部２に格納しておく。この送信フォーマットにより作成した電子メールを受信側端末に対して自動的に送信する。そして、送信側端末を待ち受け状態にする。
【００３９】
ステップ９では、網は、この電子メールを受け保管する。
【００４０】
ステップ１０では、受信側端末は、圏外及び電源オンにより接続可能状態になり待ち受け状態になったとき、網にメール有無確認要求を送る。
【００４１】
ステップ１１では、網は、受信側端末よりメール有無確認要求を受け、この受信側端末用の電子メールを保管してあるときにはメール有り通知を受信側端末に送る。
【００４２】
ステップ１２では、受信側端末は、待ち受け状態で網よりメール有り通知を受けると、ステップ１３（Ｓ１３）へ進む。
【００４３】
ステップ１３では、受信側端末は、網にメール取得要求を送る。
【００４４】
ステップ１４では、網は、メール取得要求を受信側端末より受け、保管してあったこの受信側端末用の電子メールをこの受信側端末に送る。
【００４５】
ステップ１５では、受信側端末は、網より電子メールを受け、ステップ１６（Ｓ１６）へ進む。
【００４６】
ステップ１６では、受信側端末は、使用者の操作により電子メールが開封されると、メール開封通知を網に送り、待ち受け状態に入る。
【００４７】
ステップ１７では、網は、受信側端末よりメール開封通知を受け保管する。
【００４８】
ステップ１８では、ステップ８（Ｓ８）で待ち受け状態に入った送信側端末は、メール有無確認要求を網に送り、このメール有無確認要求に応答して、網からメール有り通知を受けるまで、予め定めた時間間隔でこのメール有無確認要求を網に送り続け、網よりメール有り通知を受けたときに、ステップ２０（Ｓ２０）へ進む。
【００４９】
ステップ１９は、網は、送信側端末からメール有無確認要求を受け、送信側端末用の電子メールを保管してあるときにはメール有り通知を送信側端末に送る。
【００５０】
ステップ２０では、送信側端末は、網にメール取得要求を送る。
【００５１】
ステップ２１では、網は、送信側端末よりメール取得要求を受け、保管してあったこの送信側端末用の電子メールをこの送信側端末に送る。
【００５２】
ステップ２２では、送信側端末は、網より電子メールを受け、ステップ２３（Ｓ２３）へ進む。
【００５３】
ステップ２３では、送信側端末は、使用者の操作により、電子メールを開封し表示する。
【００５４】
ステップ２４では、送信側端末は、この表示内容が受信側端末からのメール開封通知を示すときに、受信側端末が現在通話を受けられる状態（受信可能な状態）であると判断し、使用者の操作により（ダイヤルイン、リダイヤル等により電話番号を入力し、発信する等）、送信側端末の電話番号と受信側端末の電話番号を含む通話要求を再度網に出力する。
【００５５】
送信側端末は、開封確認要求付きの電子メールを網へ送信してからメール開封通知を受けるまでの時間が予め定めた時間内のときに、通話要求を再度網へ送信するようにしても良い。
【００５６】
また、送信側端末は、周囲の明暗を検出するセンサを有し、メール開封通知を受けたときに、センサが周囲が明るいということを示している場合に、通話要求を再度網へ送信するようにしても良い。
【００５７】
送信側端末は、通話要求を再度網へ送信しているときは、通話要求を再度送信していることを明示するために、予め定めた音、曲を含む鳴音による報知しても良い。
【００５８】
ステップ２５では、網は、送信側端末より受けた通話要求に含まれる電話番号の受信側端末にこの通話要求を出力する。
【００５９】
ステップ２６では、ステップ１６（Ｓ１６）で待ち受け状態に入った受信側端末は、網より送信側端末からの通話要求を受け、ステップ２７（Ｓ２７）へ進む。
【００６０】
ステップ２７では、受信側端末は、電子メールを開封しメール開封通知を送った状況であり、通話を受けられる状態（受信可能な状態）であるので、接続許可通知を網に出力する。
【００６１】
ステップ２８では、網は、受信側端末より接続許可通知を受け、接続許可通知を送信側端末に送る。
【００６２】
ステップ２９では、送信側端末は、網より接続許可通知を受け、ステップ３０（Ｓ３０）へ進む。
【００６３】
ステップ３０では、送信側端末は、網からうけた応答が接続許可通知か否かを調査し、接続許可通知のときにはステップ３１（Ｓ３１）へ進む。接続許可通知でないときには接続拒否通知を受けたとしてステップ７（Ｓ７）へ進む。
【００６４】
ステップ３１では、送信側端末は、網を介して受信側端末と通信し、受信側端末と通話状態に入る。
【図面の簡単な説明】
【００６５】
【図１】本発明の無線通信端末間の呼出接続方法の一つの実施の形態を示すフローチャートである。
【図２】本発明の無線通信端末間の呼出接続方法の一部が適用される無線通信端末の例を示すブロック図である。
【符号の説明】
【００６６】
１    制御部
２    メモリ部
３    表示部
４    操作部
５    送信切換制御部
６    移動機情報解析部
７    発信制御部
８    アンテナ
９    無線部
１０    音声入出力部
【図１】
2005217477.tif 000003
【図２】
2005217477.tif 000004